(57)【要約】【課題】  本発明は操作が容易な燃焼装置を提供する。【解決手段】  燃焼装置は燃料タンクユニットと灯芯を含み、燃料タンクユニットは第１タンク、第２タンク、連通管及びスイッチを含み、第２タンクの容量は第１タンクより小さく、連通管の一端は第１タンクに接続され、且つ別のもう一端は第２タンクに接続され、連通管は第１タンクと第２タンクの空間内を連通させることができ、スイッチは第１タンクと第２タンクの間に設置され、且つ第１タンクと第２タンクの間の流路を選択的に開閉することができ、灯芯は第２タンク内に設置されており、上記構造によって燃焼装置に操作容易性という優位点が備わる。【選択図】  図１
2019158324.tif 000002
【特許請求の範囲】
【請求項１】
第１タンク、第２タンク、連通管及びスイッチを含み、前記第２タンクの容量は前記第１タンクより小さく、前記連通管の一端は前記第１タンクに接続され、且つ別のもう一端は前記第２タンクに接続され、前記連通管は前記第１タンクと前記第２タンクの空間内を連通させることができ、前記スイッチは前記第１タンクと前記第２タンクの間に設置され、且つ前記第１タンクと前記第２タンクの間の流路を選択的に開閉することができる燃料タンクユニットと、
前記第２タンク内に設置された灯芯と、を含むことを特徴とする操作が容易な燃焼装置。
【請求項２】
前記第１タンクには開口が設けられており、前記燃料タンクユニットには密封部材及び充填皿が設置されており、前記密封部材は前記開口に覆設され、前記密封部材には第１貫通孔が貫通形成されており、前記充填皿は密封位置と充填位置との間で前記密封部材と相対的に回転可能に前記密封部材に枢設され、前記充填皿の前記密封部材に近接する一端には第２貫通孔が設けられており、前記充填皿が密封位置にある場合には、前記第２貫通孔は前記第１貫通孔と対応せず、前記充填皿が充填位置にある場合には、前記第２貫通孔は前記第１貫通孔と対応することを特徴とする請求項１に記載の操作が容易な燃焼装置。
【請求項３】
前記スイッチは前記連通管の両端の間に設置されることを特徴とする請求項２に記載の操作が容易な燃焼装置。
【請求項４】
前記燃焼装置には整流器が設置されており、前記整流器は支持台、複数の整流ベーン、第１遮蔽部材及び第２遮蔽部材を含み、前記支持台には差込口が設けられており、前記複数の整流ベーンはそれぞれ前記差込口の内周縁に固定接続され、前記第１遮蔽部材は前記支持台の片側に固定接続され、前記第１遮蔽部材には第１端部及び前記第１端部とは別の一端に第２端部が設けられており、前記第２遮蔽部材は前記第１遮蔽部材に近接する前記支持台の片側に位置し、前記第２遮蔽部材には第１端部及び前記第１端部とは別の一端に第２端部が設けられており、前記第２遮蔽部材の前記第１端部には前記第１遮蔽部材の前記第１端部が枢設され、前記第２遮蔽部材は閉位置と開位置との間で前記第１遮蔽部材と相対的に回転することができ、前記第２遮蔽部材が閉位置にある場合には、前記第２遮蔽部材の前記第２端部は前記第１遮蔽部材の前記第２端部と接続されており、前記第２遮蔽部材が開位置にある場合には、前記第２遮蔽部材の前記第２端部が前記第１遮蔽部材の前記第２端部を離れて両者の間に開口が形成され、前記複数の整流ベーンはそれぞれ前記第１遮蔽部材と前記第２遮蔽部材との間に位置し、前記灯芯は前記複数の整流ベーンの間に位置することを特徴とする請求項２又は３に記載の操作が容易な燃焼装置。
【請求項５】
前記灯芯には下端部及び前記下端部とは別の一端に上端部が設けられており、前記下端部は前記第２タンク内に挿設され、前記上端部は前記第２タンクの外に突出しており、前記上端部の垂直方向に沿う高さは前記第１遮蔽部材及び前記第２遮蔽部材の垂直方向に沿う下縁部より高いことを特徴とする請求項４に記載の操作が容易な燃焼装置。
【請求項６】
前記整流器には接続部材が設置されており、前記接続部材は前記第２タンクに被装され、前記複数の整流ベーンの下縁部はそれぞれ前記接続部材に固定接続され、前記第１遮蔽部材及び前記第２遮蔽部材はそれぞれ前記支持台の前記接続部材とは別の側に設置されることを特徴とする請求項４に記載の操作が容易な燃焼装置。
【請求項７】
前記燃焼装置にはケーシングが設置されており、前記ケーシングの底端には底板が設置されており、前記ケーシングの頂端には上蓋が設置されており、前記底板と前記上蓋との間には仕切り板が設置されており、前記仕切り板の前記底板に近接する側には内部空間が形成され、前記仕切り板の前記上蓋に近接する側には観察空間が形成され、前記仕切り板に貫通孔が設けられて前記内部空間と前記観察空間が接続され、前記燃料タンクユニットは前記内部空間内に設置され、前記第１遮蔽部材の前記支持台とは別の側に前記仕切り板が固定接続され、前記第１遮蔽部材と前記第２遮蔽部材は前記仕切り板の貫通孔に対応していることを特徴とする請求項４に記載の操作が容易な燃焼装置。
【請求項８】
前記底板と前記上蓋の間には背板が設置されており、前記背板の一端は前記底板の片側に接続され、且つ別のもう一端は前記上蓋の片側に接続され、前記背板の両端の間には前記仕切り板の片側が接続され、前記ケーシングには戸板が設置されており、前記戸板は前記底板の前記背板とは別の側に枢設され、前記戸板の前記底板とは別の側は前記仕切り板と揺動的に近づいたり離れたりすることができ、前記充填皿の前記密封部材とは別の一端には充填部が設けられており、前記充填皿が密封位置にある場合には、前記充填部は前記戸板に向けられておらず、前記充填皿が充填位置にある場合には、前記充填部は前記戸板に向けられていることを特徴とする請求項７に記載の操作が容易な燃焼装置。
【請求項９】
前記ケーシングには２枚の側板が設置されており、前記２枚の側板はそれぞれ前記戸板とは別の両側に設置され、前記２枚の側板の各側はそれぞれ前記底板に接続され、且つ隣接する別の側は前記背板に接続され、前記２枚の側板の前記底板とは別の側はそれぞれ前記仕切り板に接続されることを特徴とする請求項８に記載の操作が容易な燃焼装置。
【請求項１０】
前記ケーシングには第１透明部材及び３つの第２透明部材が設置されており、前記第１透明部材は透明の管形状を呈しており、前記第１透明部材の一端は前記仕切り板の貫通孔に接続され、且つ別のもう一端は前記上蓋に接続され、前記３つの第２透明部材は透明のシート形状を呈しており、前記３つの第２透明部材の一端はそれぞれ前記仕切り板に接続され、且つ別のもう一端はそれぞれ前記上蓋に接続され、前記３つの第２透明部材はそれぞれ前記戸板及び前記２枚の側板に近接していることを特徴とする請求項９に記載の操作が容易な燃焼装置。
【発明の詳細な説明】
【技術分野】
【０００１】
本発明は、主に燃焼装置を開示するものであり、特に操作が容易な燃焼装置に関する。
【背景技術】
【０００２】
特許文献１の特許案「渦パターンの変更が可能な火炎燃焼装置」を参照すると、火炎燃焼装置が開示されており、それにはノズル、整流ユニット、整流リング、及びカバー体が含まれている。ノズルは燃料タンクと接続することができ、且つ空気孔を有し、空気孔は孔径を有しており、整流ユニットはノズルの空気孔に設置され、整流ユニットは複数のベーンで構成され、各ベーンは空気孔の内周縁の円周方向に沿って螺旋状に均等に分布しており、隣り合う2枚のベーンの間にはそれぞれ空気の通り抜けに供する整流路が形成されており、整流リングはノズルの一端に設置され、整流リングは整流孔を有し、整流孔は空気孔と連通しており、整流孔は内径を有しており、整流孔の内径は空気孔の孔径よりも小さく、カバー体はノズルの一端に接続され、且つ整流リングと近接し、カバー体は透明で、且つ囲んで制限空間を形成しており、制限空間は整流リングの整流孔と連通している。
【０００３】
しかし、上記の構造を用いた燃焼装置は、使用後に火炎を消す場合、灯芯の燃焼が継続しないよう空気を阻隔する方法を採用しなければならないが、灯芯が内部に隠されるので、カバー体上方の開口を覆っただけでは整流ユニットから空気の流通が提供可能なために消化できず、消火するには消火蓋を直接灯芯に被せなければならないため、ユーザーは消化蓋を灯芯に被せるためにカバー体を移動させるか、又は長いレバーで灯芯を移動させる必要があり、火炎の規模が大きい場合には、火炎の上方で上記の操作を直接行うのが難しくなり、火傷しやすく危険である。また、上記の消火方法は、火炎が消えた後も、少しの間は灯芯の先端が非常に高い温度を維持するため、燃料が灯芯に吸われ続けて灯芯の先端に接触すると、高温に接触したことで炭化・変質し、煙や臭気が発生してしまう。
【先行技術文献】
【特許文献】
【０００４】
【特許文献１】中華民国特許第Ｉ５５８９５０号
【発明の概要】
【０００５】
本発明の操作が容易な燃焼装置は、燃料タンクユニットと灯芯を含む燃焼装置を提供することを主な目的としており、燃料タンクユニットは第１タンク、第２タンク、連通管及びスイッチを含み、第２タンクの容量は第１タンクより小さく、連通管の一端は第１タンクに接続され、且つ別のもう一端は第２タンクに接続され、連通管は第１タンクと第２タンクの空間内を連通させることができ、スイッチは第１タンクと第２タンクの間に設置され、且つ第１タンクと第２タンクの間の流路を選択的に開閉することができ、灯芯は第２タンク内に設置されており、上記構造によって燃焼装置に操作容易性という優位点が備わる。
【０００６】
第１タンクには開口が設けられており、燃料タンクユニットには密封部材及び充填皿が設置されており、密封部材は開口に覆設され、密封部材には第１貫通孔が貫通形成されており、充填皿は密封位置と充填位置との間で密封部材と相対的に回転可能に密封部材に枢設され、充填皿の密封部材に近接する一端には第２貫通孔が設けられており、充填皿が密封位置にある場合には、第２貫通孔は第１貫通孔と対応せず、充填皿が充填位置にある場合には、第２貫通孔は第１貫通孔と対応する。
【０００７】
スイッチは連通管の両端の間に設置される。
【０００８】
燃焼装置には整流器が設置されており、整流器は支持台、複数の整流ベーン、第１遮蔽部材及び第２遮蔽部材を含み、支持台には差込口が設けられており、複数の整流ベーンはそれぞれ差込口の内周縁に固定接続され、第１遮蔽部材は支持台の片側に固定接続され、第１遮蔽部材には第１端部及び第１端部とは別の一端に第２端部が設けられており、第２遮蔽部材は第１遮蔽部材に近接する支持台の片側に位置し、第２遮蔽部材には第１端部及び第１端部とは別の一端に第２端部が設けられており、第２遮蔽部材の第１端部には第１遮蔽部材の第１端部が枢設され、第２遮蔽部材は閉位置と開位置との間で第１遮蔽部材と相対的に回転することができ、第２遮蔽部材が閉位置にある場合には、第２遮蔽部材の第２端部は第１遮蔽部材の第２端部と接続されており、第２遮蔽部材が開位置にある場合には、第２遮蔽部材の第２端部が第１遮蔽部材の第２端部を離れて両者の間に開口が形成され、複数の整流ベーンはそれぞれ第１遮蔽部材と第２遮蔽部材との間に位置し、灯芯は複数の整流ベーンの間に位置する。
【０００９】
灯芯には下端部及び下端部とは別の一端に上端部が設けられており、下端部は第２タンク内に挿設され、上端部は第２タンクの外に突出しており、上端部の垂直方向に沿う高さは第１遮蔽部材及び第２遮蔽部材の垂直方向に沿う下縁部より高い。
【００１０】
整流器には接続部材が設置されており、接続部材は第２タンクに被装され、複数の整流ベーンの下縁部はそれぞれ接続部材に固定接続され、第１遮蔽部材及び第２遮蔽部材はそれぞれ支持台の接続部材とは別の側に設置される。
【００１１】
燃焼装置にはケーシングが設置されており、ケーシングの底端には底板が設置されており、ケーシングの頂端には上蓋が設置されており、底板と上蓋との間には仕切り板が設置されており、仕切り板の底板に近接する側には内部空間が形成され、仕切り板の上蓋に近接する側には観察空間が形成され、仕切り板に貫通孔が設けられて内部空間と観察空間が接続され、燃料タンクユニットは内部空間内に設置され、第１遮蔽部材の支持台とは別の側に仕切り板が固定接続され、第１遮蔽部材と第２遮蔽部材は仕切り板の貫通孔に対応している。
【００１２】
底板と上蓋の間には背板が設置されており、背板の一端は底板の片側に接続され、且つ別のもう一端は上蓋の片側に接続され、背板の両端の間には仕切り板の片側が接続され、ケーシングには戸板が設置されており、戸板は底板の背板とは別の側に枢設され、戸板の底板とは別の側は仕切り板と揺動的に近づいたり離れたりすることができ、充填皿の密封部材とは別の一端には充填部が設けられており、充填皿が密封位置にある場合には、充填部は戸板に向けられておらず、充填皿が充填位置にある場合には、充填部は戸板に向けられている。
【００１３】
ケーシングには２枚の側板が設置されており、２枚の側板はそれぞれ戸板とは別の両側に設置され、２枚の側板の各側はそれぞれ底板に接続され、且つ隣接する別の側は背板に接続され、２枚の側板の底板とは別の側はそれぞれ仕切り板に接続される。
【００１４】
ケーシングには第１透明部材及び３つの第２透明部材が設置されており、第１透明部材は透明の管形状を呈しており、第１透明部材の一端は仕切り板の貫通孔に接続され、且つ別のもう一端は上蓋に接続され、３つの第２透明部材は透明のシート形状を呈しており、３つの第２透明部材の一端はそれぞれ仕切り板に接続され、且つ別のもう一端はそれぞれ上蓋に接続され、３つの第２透明部材はそれぞれ戸板及び２枚の側板に近接している。
【図面の簡単な説明】
【００１５】
【図１】本発明の操作が容易な燃焼装置の立体外観図である。
【図２】本発明の操作が容易な燃焼装置のケーシングの立体分解図である。
【図３】本発明の操作が容易な燃焼装置の燃料タンクユニットの立体分解図である。
【図４】本発明の操作が容易な燃焼装置の断面構造図である。
【図５】本発明の操作が容易な燃焼装置の別の角度の断面構造図である。
【図６】本発明の操作が容易な燃焼装置の使用状態図である。
【図７】本発明の操作が容易な燃焼装置の使用状態図である。
【図８】本発明の操作が容易な燃焼装置の使用状態図である。
【図９】本発明の操作が容易な燃焼装置の使用状態図である。
【発明を実施するための形態】
【実施例】
【００１６】
本発明の操作が容易な燃焼装置の立体外観図、ケーシングの立体分解図及び燃料タンクユニットの立体分解図である、図１〜図３を参照する。本発明の燃焼装置１０は、ケーシング２０、燃料タンクユニット３０、灯芯４０及び整流器５０を含む。
【００１７】
続けて、本発明の操作が容易な燃焼装置の断面構造図である、図４及び図５を参照する。ケーシング２０の底端には底板２１が設置されており、ケーシング２０の頂端には上蓋２２が設置されており、底板２１と上蓋２２との間には仕切り板２３が設置されており、仕切り板２３の底板２１に近接する側には内部空間２３１が形成され、仕切り板２３の上蓋２２に近接する側には観察空間２３２が形成され、仕切り板２３に貫通孔２３３が設けられて内部空間２３１と観察空間２３２が接続される。
【００１８】
底板２１と上蓋２２の間には背板２４が設置されており、背板２４の一端は底板２１の片側に接続され、且つ別のもう一端は上蓋２２の片側に接続され、背板２４の両端の間には仕切り板２３の片側が接続される。
【００１９】
ケーシング２０には戸板２５及び２枚の側板２６が設置されており、戸板２５は底板２１の背板２４とは別の側に枢設され、戸板２５の底板２１とは別の側は仕切り板２３と揺動的に近づいたり離れたりすることができる。２枚の側板２６はそれぞれ戸板２５とは別の両側に設置され、２枚の側板２６の各側はそれぞれ底板２１に接続され、且つ隣接する別の側は背板２４に接続され、２枚の側板２６の底板２１とは別の側はそれぞれ仕切り板２３に接続される。
【００２０】
ケーシング２０には第１透明部材２７及び３つの第２透明部材２８が設置されており、第１透明部材２７は透明の管形状を呈しており、第１透明部材２７の一端は仕切り板２３の貫通孔２３３に接続され、且つ別のもう一端は上蓋２２に接続される。３つの第２透明部材２８は透明のシート形状を呈しており、３つの第２透明部材２８の一端はそれぞれ仕切り板２３に接続され、且つ別のもう一端はそれぞれ上蓋２２に接続され、３つの第２透明部材２８はそれぞれ戸板２５及び２枚の側板２６に近接している。
【００２１】
燃料タンクユニット３０は内部空間２３１内に設置され、燃料タンクユニット３０は第１タンク３１、第２タンク３２、連通管３３及びスイッチ３４を含み、第２タンク３２の容量は第１タンク３１の容量より小さく、連通管３３の一端は第１タンク３１に接続され、且つ別のもう一端は第２タンク３２に接続され、連通管３３は第１タンク３１と第２タンク３２の空間内を連通させることができ、スイッチ３４は第１タンク３１と第２タンク３２の間に設置され、且つ第１タンク３１と第２タンク３２の間の流路を選択的に開閉することができ、本実施例中、スイッチ３４は連通管３３の両端の間に設置される。
【００２２】
続けて、本発明の操作が容易な燃焼装置の使用状態図である、図６〜図９を参照する。第１タンク３１には開口３１１が設けられており、燃料タンクユニット３０には密封部材３５及び充填皿３６が設置されており、密封部材３５は開口３１１に覆設され、密封部材３５には第１貫通孔３５１が貫通形成されており、充填皿３６は密封位置と充填位置との間で密封部材３５と相対的に回転可能に密封部材３５に枢設され、充填皿３６の密封部材３５に近接する一端には第２貫通孔３６１が設けられ、充填皿３６の密封部材３５とは別の一端には充填部３６２が設けられており、充填皿３６が密封位置にある場合には、第２貫通孔３６１は第１貫通孔３５１と対応しておらず、充填部３６２は戸板２５に向けられておらず、充填皿３６が充填位置にある場合には、第２貫通孔３６１は第１貫通孔３５１と対応しており、充填部３６２は戸板２５に向けられている。
【００２３】
灯芯４０には下端部４１及び下端部４１とは別の一端に上端部４２が設けられており、下端部４１は第２タンク３２内に挿設され、上端部４２は第２タンク３２の外に突出している。
【００２４】
整流器５０は支持台５１、複数の整流ベーン５２、第１遮蔽部材５３及び第２遮蔽部材５４を含み、支持台５１には差込口５１１が設けられており、複数の整流ベーン５２はそれぞれ差込口５１１の内周縁に固定接続され、第１遮蔽部材５３は支持台５１の片側に固定接続され、第１遮蔽部材５３には第１端部５３１及び第１端部５３１とは別の一端に第２端部５３２が設けられており、第２遮蔽部材５４は第１遮蔽部材５３に近接する支持台５１の片側に位置し、第２遮蔽部材５４には第１端部５４１及び第１端部とは別の一端に第２端部５４２が設けられており、第２遮蔽部材５４の第１端部５４１には第１遮蔽部材５３の第１端部５３１が枢設され、第２遮蔽部材５４は閉位置と開位置との間で第１遮蔽部材５３と相対的に回転することができ、第２遮蔽部材５４が閉位置にある場合には、第２遮蔽部材５４の第２端部５４２は第１遮蔽部材５３の第２端部５３２と接続されており、第２遮蔽部材５４が開位置にある場合には、第２遮蔽部材５４の第２端部５４２が第１遮蔽部材５３の第２端部５３２を離れて両者の間に開口が形成される。複数の整流ベーン５２はそれぞれ第１遮蔽部材５３と第２遮蔽部材５４との間に位置し、灯芯４０は複数の整流ベーン５２の間に位置し、上端部４２の垂直方向に沿う高さは第１遮蔽部材５３及び第２遮蔽部材５４の垂直方向に沿う下縁部より高い。
【００２５】
整流器５０には接続部材５５が設置されており、接続部材５５は第２タンク３２に被装され、複数の整流ベーン５２の下縁部はそれぞれ接続部材５５に固定接続され、第１遮蔽部材５３及び第２遮蔽部材５４はそれぞれ支持台５１の接続部材５５とは別の側に設置される。第１遮蔽部材５３の支持台５１とは別の側には仕切り板２３が固定接続され、第１遮蔽部材５３と第２遮蔽部材５４は仕切り板２３の貫通孔２３３に対応している。
【００２６】
燃焼装置１０は上記構造によって操作容易性という優位点を備えている。燃焼装置１０を使用する際は、戸板２５を開くと、充填皿３６を充填位置まで回転させることができ、充填皿３６の充填部３６２に近接する位置で燃料を注ぎ入れれば、第１タンク３１に燃料を流入させることができ、燃料は第１タンク３１内の連通管３３を通じて第２タンク３２内まで流れることができ、灯芯４０が燃料を吸うのを待ってから、第２遮蔽部材５４を開位置に移動させて、第１遮蔽部材５３と第２遮蔽部材５４の間の開口に手を伸ばし入れ、点火器具で灯芯４０に点火することができ、逆順に操作して、第２遮蔽部材５４、充填皿３６及び戸板２５を元の位置に戻すと、燃焼装置１０は連続運転して火炎を生じさせることができる。燃焼装置１０の燃焼を停止させたい場合には、戸板２５を開いてスイッチ３４を閉めるだけでよく、スイッチ３４を閉めた後は、第２タンク３２の容量が小さいため、灯芯４０が少しの間だけ燃焼を継続し、第２タンク３２内の燃料が燃焼し尽くされると即座に火炎が消え、灯芯４０の火炎は燃料欠乏状態で消えるので、煙や臭気が発生する状況を大幅に減少させることができる。
【００２７】
さらに、整流器５０を上記構造で構成することにより、支持台５１、複数の整流ベーン５２、第１遮蔽部材５３及び第２遮蔽部材５４を板金又は引っ張り作業で作製することができ、整流器５０の構造が効果的に簡略化されて、生産コストを低減させる。
【００２８】
ケーシング２０を上記構造で設計することにより、燃料タンクユニット３０、灯芯４０及び整流器５０の構成部品全てを隠すことができ、ケーシング２０の外観がシンプルで美しくなり、且つ灯芯４０の燃焼時に熱がケーシング２０の最外部まで伝わりにくいので、ユーザー又は子どもが誤って触れても火傷しないよう、効果的に防止することができる。
【００２９】
以上をまとめると、本発明は以下の優位点を有する。
【００３０】
本発明は操作が容易な燃焼装置であり、そのうち、燃焼装置は燃料タンクユニットと灯芯を含み、燃料タンクユニットは第１タンク、第２タンク、連通管及びスイッチを含み、第２タンクの容量は第１タンクより小さく、連通管の一端は第１タンクに接続され、且つ別のもう一端は第２タンクに接続され、連通管は第１タンクと第２タンクの空間内を連通させることができ、スイッチは第１タンクと第２タンクの間に設置され、且つ第１タンクと第２タンクの間の流路を選択的に開閉することができ、灯芯は第２タンク内に設置されており、上記構造によって燃焼装置に操作容易性という優位点が備わる。
【符号の説明】
【００３１】
１０  燃焼装置
２０  ケーシング
２１  底板
２２  上蓋
２３  仕切り板
２３１  内部空間
２３２  観察空間
２３３  貫通孔
２４  背板
２５  戸板
２６  側板
２７  第１透明部材
２８  第２透明部材
３０  燃料タンクユニット
３１  第１タンク
３１１  開口
３２  第２タンク
３３  連通管
３４  スイッチ
３５  密封部材
３５１  第１貫通孔
３６  充填皿
３６１  第１貫通孔
３６２  充填部
４０  灯芯
４１  下端部
４２  上端部
５０  整流器
５１  支持台
５２  整流ベーン
５３  第１遮蔽部材
５３１  第１端部
５３２  第２端部
５４  第２遮蔽部材
５４１  第１端部
５４２  第２端部
５５  接続部材
【図１】
2019158324.tif 000003
【図２】
2019158324.tif 000004
【図３】
2019158324.tif 000005
【図４】
2019158324.tif 000006
【図５】
2019158324.tif 000007
【図６】
2019158324.tif 000008
【図７】
2019158324.tif 000009
【図８】
2019158324.tif 000010
【図９】
2019158324.tif 000011